(57)【要約】      （修正有）【課題】エンボス加工された情報を視認による読み取り難い形態として情報漏れのリスクを低減させる情報記録媒体及びその製造方法を提供する。【解決手段】情報記録媒体１１において、樹脂基材１２の一方面上に層自体が発色する発色層１３が設けられ、当該樹脂基材１２の他方面から当該発色層１３側の方向に変形した状態で当該樹脂基材１２及び発色層１３に浮彫形態の第１情報部２１が形成され、当該第１情報部２１に重ねられた位置の発色層１３が発色されることで第２情報部２２が形成されている構成とする。【選択図】図１
2019166712.tif 000002
【特許請求の範囲】
【請求項１】
同一面上に形成形態の異なる情報が形成された情報記録媒体であって、
樹脂基材の一方面上に層自体が発色する発色層が設けられ、当該樹脂基材の他方面から当該発色層側の方向に変形した状態で当該樹脂基材及び発色層に形成された浮彫形態の第１情報部と、
前記第１情報部に重ねられた位置の前記発色層が発色されることで形成された第２情報部と、
を有することを特徴とする情報記録媒体。
【請求項２】
請求項１記載の情報形成媒体であって、前記樹脂基材の他方面上に層自体が発色する第２発色層が設けられ、前記第１情報部の形成にあたって生じた第１情報凹部に重ねられた位置の当該第２発色層が発色されて形成された第３情報部を備えることを特徴とする情報記録媒体。
【請求項３】
同一面上に形成形態の異なる情報が形成された情報記録媒体の製造方法であって、
樹脂基材の一方面上に層自体が発色する発色層が設けられ、当該樹脂基材の他方面から当該樹脂基材及び発色層を型押しして浮彫形態の第１情報部を形成する工程と、
前記第１情報部に重ねられた位置の前記発色層にレーザ光照射により発色させて第２情報部を形成する工程と、
を含むことを特徴とする情報記録媒体の製造方法。
【請求項４】
請求項３の情報記録媒体の製造方法であって、前記樹脂基材の他方面上に層自体が発色する第２発色層が設けられ、前記第１情報部の形成にあたって生じた第１情報凹部に重ねられた位置の当該第２発色層にレーザ光照射により発色させて第３情報部を形成する工程を含むことを特徴とする情報記録媒体の製造方法。
【発明の詳細な説明】
【技術分野】
【０００１】
本発明は、媒体に浮彫形態の情報が形成された情報記録媒体及びその製造方法に関する。
【背景技術】
【０００２】
近年、例えばクレジットカードなどでは、カード情報（所有者情報）がいわゆるエンボス加工による浮彫形態で形成されているものが普及しており、これらカードのカード情報をインターネットなどでデータ入力することでカード自体を所有しなくとも利用可能となっている一方で、店舗での利用に際しては所有者本人以外の人に渡るために当該カード情報が漏れやすい状況にあることから情報漏れを極力防ぐ必要がある。
【０００３】
従来、カード情報がエンボス加工されたクレジットカードなどのカードの構成は種々知られている。例えば、特許文献１には、コアシートの表面上のエンボス加工する領域に形成された着色層を介してシート全面に表保護シートが設けられると共に、裏面に裏保護シートが設けられたカード基材であって、表保護シート上に表図柄印刷層が形成されてエンボス加工が施されてカード情報が形成され、当該エンボス加工による浮き彫りの上面にエンボス文字部着色層が形成された構成として知られている。
【０００４】
一方で、上記のようなカード情報が少なくともエンボス加工されたカードに対してカード情報を読み取る技術として、例えば特許文献２記載の技術が知られている。特許文献２は、カード情報が磁気情報と共にエンボス加工された情報記録媒体に対し、所定領域中でセンサセルが配列された圧力センサを備え、磁気情報を磁気ヘッドで読み取る一方で、カードを圧力センサに押し付け、エンボス加工部分を検知することでエンボス加工によるカード情報を読み取ることが記載されている。
【先行技術文献】
【特許文献】
【０００５】
【特許文献１】特許５１４１２６０号公報
【特許文献１】特許４７２９１６９号公報
【発明の概要】
【発明が解決しようとする課題】
【０００６】
しかしながら、上記のようなカード情報がエンボス加工されたカードは、例えばクレジットカードのようなカード利用に際して他人に手渡して使用される場合には、エンボス加工部分のカード情報が目に触れやすく、それが瞬時であっても情報が読み取りやすいために情報漏れを来す恐れが多分にあるという問題がある。
【０００７】
そこで、本発明は上記課題に鑑みなされたもので、エンボス加工された情報を視認による読み取り難い形態として情報漏れのリスクを低減させる情報記録媒体及びその製造方法を提供することを目的とする。
【課題を解決するための手段】
【０００８】
上記課題を解決するために、請求項１の発明では、同一面上に形成形態の異なる情報が形成された情報記録媒体であって、樹脂基材の一方面上に層自体が発色する発色層が設けられ、当該樹脂基材の他方面から当該発色層側の方向に変形した状態で当該樹脂基材及び発色層に形成された浮彫形態の第１情報部と、前記第１情報部に重ねられた位置の前記発色層が発色されることで形成された第２情報部と、を有する構成とする。
【０００９】
請求項２の発明では、前記樹脂基材の他方面上に層自体が発色する第２発色層が設けられ、前記第１情報部の形成にあたって生じた第１情報凹部に重ねられた位置の当該第２発色層が発色されて形成された第３情報部を備える構成とする。
【００１０】
請求項３の発明では、同一面上に形成形態の異なる情報が形成された情報記録媒体の製造方法であって、樹脂基材の一方面上に層自体が発色する発色層が設けられ、当該樹脂基材の他方面から当該樹脂基材及び発色層を型押しして浮彫形態の第１情報部を形成する工程と、前記第１情報部に重ねられた位置の前記発色層にレーザ光照射により発色させて第２情報部を形成する工程と、を含む構成とする。
【００１１】
請求項４の発明では、前記樹脂基材の他方面上に層自体が発色する第２発色層が設けられ、前記第１情報部の形成にあたって生じた第１情報凹部に重ねられた位置の当該第２発色層にレーザ光照射により発色させて第３情報部を形成する工程を含む構成とする。
【発明の効果】
【００１２】
請求項１の発明によれば、樹脂基材の一方面上に層自体が発色する発色層が設けられ、当該樹脂基材の他方面から当該発色層側の方向に変形した状態で当該樹脂基材及び発色層に浮彫形態の第１情報部が形成され、当該第１情報部に重ねられた位置の発色層が発色されることで第２情報部が形成されている構成とすることにより、浮彫形態の第１情報部を視認により読み取ろうとしたときに発色状態の第２情報部が印象付けられて当該第１情報部を視認による読み取り難い形態とさせることができ、使用の際の情報漏れのリスクを低減させることができるものである。
【００１３】
請求項２の発明によれば、樹脂基材の他方面上に層自体が発色する第２発色層が設けられ、第１情報部の形成にあたって生じた第１情報凹部に重ねられた位置で第２発色層を発色させて第３情報部を形成させた構成とすることにより、第１情報部と鑑文字関係にある第１情報凹部から当該第１情報部を視認による読み取り難い形態とさせることができ、使用の際の情報漏れのリスクを低減させることができるものである。
【００１４】
請求項３の発明によれば、樹脂基材の一方面上に層自体が発色する発色層が設けられ、当該樹脂基材の他方面から当該樹脂基材及び発色層を型押しして浮彫形態の第１情報部を形成し、第１情報部に重ねられた位置の発色層にレーザ光照射により発色させて第２情報部を形成させる構成とすることにより、第１情報部の位置上にレーザ光を容易に位置決め可能であり、浮彫形態の第１情報部上に重ねて第２情報部を容易に形成させることができるものである。
【００１５】
請求項４の発明によれば、樹脂基材の他方面上に層自体が発色する第２発色層が設けられ、第１情報部の形成にあたって生じた第１情報凹部に重ねられた位置で第２発色層を発色させて第３情報部を形成させる構成とすることにより、第１情報部と鑑文字関係にある第１情報凹部の位置上にレーザ光を容易に位置決め可能であり、第１情報凹部上に重ねて第３情報部を容易に形成させることができるものである。
【図面の簡単な説明】
【００１６】
【図１】本発明に係る情報記録媒体の第１実施形態の構成図である。
【図２】図１の情報記録媒体の製造方法の工程図である。
【図３】本発明に係る情報記録媒体の第２実施形態の構成図である。
【図４】本発明に係る情報記録媒体の第３実施形態の構成図である。
【発明を実施するための形態】
【００１７】
以下、本発明の実施形態を図により説明する。なお、図に示す断面図は、理解しやすいように寸法を無視している。
図１に、本発明に係る情報記録媒体の第１実施形態の構成図を示す。図１（Ａ）〜（Ｃ）において、情報記録媒体１１は、樹脂基材１２の一方面上に層自体が発色する発色層１３が設けられ、当該樹脂基材１２の他方面（裏面とする）１２Ａから当該発色層側の方向に変形した状態で当該樹脂基材１２及び発色層１３に浮彫形態の第１情報部２１が形成されている。この第１情報部２１は、樹脂基材１２の裏面１２Ａには、図１（Ｂ）に示すように、鑑文字状となって形成される。また、当該第１情報部２１に重ねられた位置の発色層１３が発色されることで第２情報部２２が形成されたものである。
【００１８】
上記樹脂基材１２は、隠蔽性を有する樹脂を主成分とし、例えば厚さ５６０μｍで、例えばポリ塩化ビニル（ＰＶＣ）、ポリエチレンテレフタレートグリコール（ＰＥＴ−Ｇ）、ポリカーボネート（ＰＣ）などが使用される。
【００１９】
上記発色層１３は、例えば厚さ５０μｍ以上（例えば５０μｍ〜１００μｍ）で形成され、例えばポリ塩化ビニル（ＰＶＣ）、ポリエチレンテレフタレートグリコール（ＰＥＴ−Ｇ）、ポリカーボネート（ＰＣ）などが使用されるもので、具体的にはＰＥＴ−Ｇを用いた太平化学製品株式会社製 ＣＧ０３０Ｍが使用される。なお、樹脂基材１２と同種のものが好ましい。
【００２０】
そこで、図２に、図１の情報記録媒体の製造方法の工程図を示す。図２（Ａ）において、樹脂基材１２の一方面上の全面に発色層１３が塗工により形成される。続いて、図２（Ｂ）に示すように、樹脂基材１２の所定位置に、他方面（裏面１２Ａ）から発色層１３側の方向に型押しして変形させることで当該樹脂基材１２及び発色層１３に浮彫形態の第１情報部２１が形成される。例えば、図１（Ａ）に示すような数字情報として形成する。
【００２１】
続いて、図２（Ｃ）に示すように、第１情報部２１に重ねられた位置の発色層１３部分に対し、レーザ照射部３１よりレーザ光３２を第２情報部２２を形成する所望の可変情報に基づいて照射し、図２（Ｄ）に示すように、照射部分で層自体を発色させた形態による第２情報部２２を、例えば図１（Ａ）に示すような第１情報部２１とは異なる数字による情報として形成する。
【００２２】
レーザ照射部３１は、基本波長１，０６４ｎｍのＹＶＯ４（ネオジウム）レーザ光３２を照射するものであり、出力７．８Ｗ、スキャン速度３，０００ｍｍ／ｓｅｃ、繰り返し周波数７５Ｈｚの設定条件により第２情報部２２を形成する。すなわち、当該第２情報部２２は層自体が黒色発色された形態で形成されることとなる。
【００２３】
なお、第２情報部２２を形成するに当たり、ＹＶＯ４レーザ光に限らず、発色層１３の材質に応じてレーザ光の種類を設定すればよい。
【００２４】
上記のように、情報記録媒体１１は、浮彫形態の第１情報部２１を視認による読み取ろうとしたときに発色状態の第２情報部２２が印象付けられて当該第１情報部２１を視認による読み取り難い形態とさせることができ、使用の際の情報漏れのリスクを低減させることができるものである。特に第２情報部２２を第１情報部２１が数字文字なら同じ数字文字（第１情報部２１と異なる数字配列）のように同じ文字種とすることで印象付けを強くすることができる。
【００２５】
また、このような情報記録媒体１１の製造に際して、第１情報部２１の位置上の発色層１３にレーザ光３２を容易に位置決め可能であり、浮彫形態の第１情報部２１上に重ねて第２情報部２２を容易に形成させることができるものである。
【００２６】
次に、図３に、本発明に係る情報記録媒体の第２実施形態の構成図を示す。図３（Ａ）〜（Ｃ）に示す情報記録媒体１１は、図３（Ｃ）に示すように、樹脂基材１２の他方面（裏面１２Ａ）上に層自体が発色する第２発色層１３Ａが設けられたもので、第１情報部２１の形成にあたって第２発色層１３Ａ側より型押しで発色層１３側に浮彫形態としている。
【００２７】
この場合、図３（Ｂ）に示すように、第２発色層１３Ａ側では第１情報部２１の形成で生じた第１情報凹部２１Ａが当該第１情報部２１と鑑文字関係で形成されることとなる。そして、形成された第１情報凹部２１Ａに重ねられた位置の第２発色層１３Ａに対して、図２のようにレーザ光３２を照射して発色させることで第３情報部２３が形成されたものである。
【００２８】
すなわち、第１情報部２１を鑑文字関係にある第１情報凹部２１Ａであっても視認による読み取りが可能であることから、第１情報凹部２１Ａの部分に第３情報部２３を形成することで、第１情報凹部２１Ａから第１情報部２１を認識させ難くさせることができ、使用の際の情報漏れのリスクを低減させることができるものである。なお、第３情報部２３は第２情報部２２と同じ情報（数字配列）であってもよい。
【００２９】
次に、図４に、本発明に係る情報記録媒体の第３実施形態の構成図を示す。図４（Ａ）、（Ｂ）に示す情報記録媒体１１は、上記の浮彫形態の第１情報部２１が形成され、当該第１情報部２１に重ねられた位置の発色層１３上に第２情報部２２を形成させることは上述と同様であり、ここでは、第１情報部２１（第２情報部２２）が形成された領域以外の領域に、例えば、文字、図形等の表示情報２３を形成させた形態である。
【００３０】
すなわち、第２情報部２２以外の領域の発色層１３に対してレーザ光３２を照射させることにより表示情報２３を形成させることができ、表示情報２３を第２情報部２２の形成と同一工程で形成させることができるものである。なお、このことは上記図３の第２実施形態についても同様に適用することができる。
【産業上の利用可能性】
【００３１】
本発明の情報記録媒体及びその製造方法は、クレジットカードやキャッシュカード等のカードの製造、販売、使用等の産業に利用可能である。
【符号の説明】
【００３２】
１１            情報記録媒体
１２            樹脂基材
１２Ａ          樹脂基材裏面
１３            発色層
１３Ａ          第２発色層
２１            第１情報部
２１Ａ          第１情報凹部
２２            第２情報部
２３            第３情報部
３１            レーザ照射部
３２            レーザ光
【図１】
2019166712.tif 000003
【図２】
2019166712.tif 000004
【図３】
2019166712.tif 000005
【図４】
2019166712.tif 000006